(57)【特許請求の範囲】
【請求項１】
家庭用圧力調理器（１）であって、少なくとも、
壁を備えた鍋（２）と、
前記鍋に追加してこれと共に調理チャンバを形成するように設計された蓋（３）と、
前記蓋（３）を前記鍋（２）に対してロック／ロック解除するための手段（４）とを備えており、
前記圧力調理器（１）は、前記ロック／ロック解除手段（４）が、前記鍋（２）の壁を通って嵌め込まれた少なくとも１個のロック開口部（５０Ａ、５０Ｂ、６０Ａ、６０Ｂ）と、蓋（３）上のロック位置とロック解除位置の間に可動取り付け部を設けた１本のピン（５Ａ、５Ｂ、６Ａ、６Ｂ）とを備えており、前記ロック位置では前記ピン（５Ａ、５Ｂ、６Ａ、６Ｂ）が前記ロック開口部（５０Ａ、５０Ｂ、６０Ａ、６０Ｂ）内で係合し、前記ロック解除位置では前記ピン（５Ａ、５Ｂ、６Ａ、６Ｂ）が前記ロック開口部（５０Ａ、５０Ｂ、６０Ａ、６０Ｂ）にロックされておらず、前記圧力調理器（１）はさらに、前記鍋（２）に取り付けて、前記ロック開口部（５０Ａ、５０Ｂ、６０Ａ、６０Ｂ）を覆い隠し、これを実質的に調理チャンバの外側から隠すための遮蔽部（１００）を備えていることを特徴とする、家庭用圧力調理器（１）。
【請求項２】
前記鍋（２）の壁自体が基部（２Ａ）と、前記基部（２Ａ）の外周からそのままの状態で上昇した側壁（２Ｂ）とを備えており、前記遮蔽部（１００）は前記側壁（２Ｂ）に取り付けられていることを特徴とする、請求項１に記載の圧力調理器（１）。
【請求項３】
前記鍋（２）に取り付けられたグリップ部（２０）を備えており、前記グリップ部（２０）は前記鍋（２）上に合致し、位置決めされて、前記遮蔽部（１００）を形成していることを特徴とする、請求項１または２に記載の圧力調理器（１）。
【請求項４】
前記グリップ部（２０）は、前記鍋（２）の外側にて、前記鍋（２）の壁に取り付けられたハンドル（２１、２２）を備えていることを特徴とする、請求項３に記載の圧力調理器（１）。
【請求項５】
前記グリップ部（２０）は、少なくとも１個の支持要素（３００）を備えた取り付け手段（２０Ａ）によって前記鍋（２）に取り付けられており、前記支持要素は、前記グリップ部（２０）に取り付けられ、前記ロック開口部（５０Ａ、５０Ｂ、６０Ａ、６０Ｂ）に挿入されていることを特徴とする、請求項３または４に記載の圧力調理器（１）。
【請求項６】
前記取り付け手段（２０Ａ）は、前記鍋（２）の壁から前記鍋（２）の外側へ延びた細長い取り付け要素（２０１Ａ）を備えていることを特徴とする、請求項５に記載の圧力調理器（１）。
【請求項７】
前記取り付け手段（２０Ａ）は、前記鍋（２）の壁を通過する取り付け口（２００Ａ）を備えており、前記取り付け要素（２０１Ａ）は前記取り付け口（２００Ａ）を通って延びていることを特徴とする、請求項６に記載の圧力調理器（１）。
【請求項８】
前記ピン（５Ａ、５Ｂ、６Ａ、６Ｂ）はロック位置にあり、前記ピン（５Ａ、５Ｂ、６Ａ、６Ｂ）の一部は前記ロック開口部（５０Ａ、５０Ｂ、６０Ａ、６０Ｂ）を通って前記鍋（２）の外側へ向かって突出しており、前記遮蔽部（１００）には、前記ピン（５Ａ、５Ｂ、６Ａ、６Ｂ）の前記突出部分を内部に収容するべく対応するロック開口部（５０Ａ、５０Ｂ、６０Ａ、６０Ｂ）上に開口した少なくとも１個の目隠しの内部窪み（２１０Ａ、２１０Ｂ、２２０Ａ、２２０Ｂ）が据え付けられていることを特徴とする、請求項１〜７のいずれか１項に記載の圧力調理器（１）。
【発明の詳細な説明】
【技術分野】
【０００１】
本発明は、調理用容器タイプの台所道具の一般的な技術範囲に関し、特に、加圧蒸気を使用する物を含む、食品を調理するよう設計された加圧式調理用深鍋のような圧力調理器の技術範囲に関する。
【０００２】
本発明は特に、家庭用圧力調理器に関し、この家庭用圧力調理器は、
−壁を備えた鍋と、
−鍋に取り付けて、鍋と共に実質的に不浸透性の調理チャンバを形成ように設計された蓋と、
‐鍋に対して蓋をロック／ロック解除する手段とを備えている。
【背景技術】
【０００３】
家庭用圧力調理器はよく知られた調理器具である。家庭用圧力調理器は、通常、食品を収容するように設計された金属製の鍋と、蓋で構成されており、蓋はやはり金属製であり、鍋に追加してロックすることで、鍋と共に不浸透性の調理チャンバを形成するように設計されている。
【０００４】
このような圧力調理器は、チャンバの圧力および温度を上昇させて、内部の食品を加圧調理するべく、熱源（例えば調理用レンジの最上部）の影響に晒されるように設計されている。
【０００５】
蓋を鍋に対してロック／ロック解除する多様なタイプの手段が存在するが、最も一般的なもののほんの数例として、特にクランプ、差し込みピン、ジョーを設けたシステムが挙げられる。
【０００６】
一般にこれら周知のロック／ロック解除手段は、特に安全性の観点から見て、蓋を鍋に被せる機能を完璧に実施することで、作成された調理チャンバが内部圧力を信頼性が高く安全な方法で上昇させられるようにする。
【発明の開示】
【発明が解決しようとする課題】
【０００７】
しかしながら、これら周知のロック／ロック解除手段はその外観が非常に技術的であるために、多くの潜在的使用者に恐怖感を生じさせてしまう。こうした潜在的使用者は、特に加圧調理に使用していない時の、使い慣れた鍋のような従来の調理器具とかけ離れたように感じる、これほどまでに技術的に見える器具をどのように使用したらよいかわからずに恐怖感を覚えてしまう。ロック／ロック解除手段の外観は、圧力調理器が高圧および高温で動作するということを、潜在的使用者に全く無意識に思い起こさせる。これが潜在使用者の恐怖を増大させ、家庭用調理器具というよりも複雑で危険な機械として映る圧力調理器の使用に対して或る抵抗を引き起こさせる。
【０００８】
最後に、周知の圧力調理器は、多数の使用者または潜在的使用者に恐怖感を生じさせる場合が多い。この感覚は、こうした器具が非常に単純で安全に使用できることから、根拠のないものである。この恐怖感は彼らの意識に残り、調理の迅速性および品質といった利点を持つにもかかわらず、多くの人々をこうした器具の使用から遠ざけてしまう。
【０００９】
本発明に指定された目的は、上述した様々な欠点を克服し、特定の使用者が持つ恐怖感の軽減を助ける構造を備えた新規の家庭用圧力調理器を提供することである。
【００１０】
本発明の別の目的は、構造が特に単純な新規の家庭用圧力調理器を提案することである。
【００１１】
本発明の別の目的は、構造が特に小型で安価な新規の家庭用圧力調理器を提案することである。
【００１２】
本発明の別の目的は、非常に単純、迅速、安価な構造を備えた新規の家庭用圧力調理器を提案することである。
【００１３】
本発明の別の目的は、異なる部品を限定された個数しか使用しない、新規の家庭用圧力調理器を提案することである。
【００１４】
本発明の別の目的は、通常の鍋と非常に似た全体的外観を有する新規の家庭用圧力調理器を提案することである。
【課題を解決するための手段】
【００１５】
本発明に指定されたこれらの目的は家庭用圧力調理器によって達成され、この家庭用圧力調理器は少なくとも、
−  壁を備えた鍋と、
−  鍋に追加してこれと共に調理チャンバを形成するように設計された蓋と、
−  蓋を鍋に対してロック／ロック解除するための手段とを備えており、
圧力調理器は、ロック／ロック解除手段が、鍋の壁を通って嵌め込まれた少なくとも１個のロック開口部と、蓋上のロック位置とロック解除位置の間に可動取り付け部を設けた１本のピンとを備えており、ロック位置ではピンがロック開口部内で係合し、ロック解除位置ではピンがロック開口部にロックされておらず、この圧力調理器はさらに、鍋に取り付けて、ロック開口部を覆い隠し、これを実質的に調理チャンバの外側から隠すための遮蔽部を備えていることを特徴とする。
【００１６】
本発明のこれ以外の特定の局面は、限定ではなく例証の方法で提供された添付の図面を参照しながら以下の説明を読解することでより詳細に明白となる。
【発明を実施するための最良の形態】
【００１７】
本発明による圧力調理器１は、家庭環境において様々な食品を圧力下で調理するように設計されている。すなわち本発明は家庭用圧力調理器である。
【００１８】
したがって、本発明による圧力調理器１は、携帯可能（すなわち手で動かせる）で独立した性質を持つ台所道具である。
【００１９】
有利なことに、本発明による圧力調理器１は受熱式鍋であり、調理用レンジの最上部といった外部熱源の効果によって圧力を上昇させるように設計されている。
【００２０】
本発明による圧力調理器１は、調理用容器を形成し、実質的に軸Ｘ−Ｘ’に従った回転対称を有利に設けた鍋２を備えていることが好ましい。これ以降の説明において、「軸方向」という用語はこの対称軸Ｘ−Ｘ’の方向、器具の通常使用時における垂直方向と類似した方向を意味する。鍋２は例えば、また通常、アルミニウムやステンレス鋼のような金属材料から成る未完成金属片を型押しして製造する。
【００２１】
鍋２はさらに壁を備えており、この壁自体は、ここで示す実施形態において、
‐  例えば円盤状をした基部２Ａと、
‐  基部２Ａから上昇してこれを包囲している側壁２Ｂとを備えており、上記側壁２Ｂは実質的に環状であり、調理する食品を鍋２内に導入できるようにするための上方開口部２Ｃを画定しており；上記側壁２Ｂはさらに、鍋２の内部と対向した内面３０と、この内面の反対側に位置する外面３１とを設けている。
【００２２】
本発明による圧力調理器１はさらに、上記鍋２に追加してこれと共に調理チャンバを形成するように設計された蓋３を備えており、この調理チャンバは、内部の圧力を上昇させられるように、実質的に不浸透性である、即ち十分な機密性を有することが好ましい。
【００２３】
こうして鍋２と蓋３を連結させて形成されたチャンバは、その内部で圧力が相当に増加できるように設計されているため、調理中にチャンバ内の圧力が大気圧よりも大幅に、例えば大気圧を１０ｋＰａ以上、好ましくは２０ｋＰａ以上超えて上昇することができる。また、非常に短時間で効率的な調理を可能にするために、内部圧力が大気圧を実質的に４０〜１１０ｋＰａ、好ましくは実質的に５０〜１００ｋＰａ超えるようにチャンバを設計することが考えられる。
【００２４】
蓋３は、優先的には鍋２の形状と相補し合う平円形である。必要に応じて蓋３を有利に鍋２上にロックまたはロック解除することができ、蓋３をロックすることで、圧力の影響で蓋３が逃げることなく、チャンバが内部圧力を上昇させられるようになる。
【００２５】
この目的のために、圧力調理器１は蓋３を鍋２にロック／ロックする解除手段４を備えていることが好ましい。ロック／ロック解除手段４は、蓋３が鍋２に関連してロックされ（特に図３に示す）、蓋３が鍋２に取り付けられた形状と、蓋３が鍋２に関連してロック解除され（特に図４に示す）、蓋３を鍋２から自由に離すことができる形状との間で移動するように有利に設計されている。
【００２６】
図に示すように、ロック／ロック解除手段４は少なくとも、鍋２の壁を通る、即ち鍋の壁の厚さＥ全体を貫通したロック開口部５０Ａ、５０Ｂ、６０Ａ、６０Ｂを備えている。図に示す例では、圧力調理器１は、鍋２の側壁２Ｂの上方部分８０に配置されている、即ち鍋２の上方開口部２Ｃに向いて配置されていることが好ましい４個のロック開口部５０Ａ、５０Ｂ、６０Ａ、６０Ｂを備えている。図に示すように、上記ロック開口部５０Ａ、５０Ｂ、６０Ａ、６０Ｂは対毎にグループ化されており、この対どうしは正反対の位置にて対向している。
【００２７】
本発明によれば、ロック／ロック解除手段４はさらに、少なくとも１本のピン５Ａ、５Ｂ、６Ａ、６Ｂを蓋３上の可動取り付け部と共に備えており、この可動取り付け部は、蓋３が鍋２から離れることをピン／ストライクプレートシステムと同様の方法で完全に防止するために、蓋３がロックされ（特に図３に示す）、ピン５Ａ、５Ｂ、６Ａ、６Ｂが対応するロック開口部５０Ａ、５０Ｂ、６０Ａ、６０Ｂ内に係合した位置と、蓋３を鍋に対して自由に動かせるようにするために、ピン５Ａ、５Ｂ、６Ａ、６Ｂが対応するロック開口部５０Ａ、５０Ｂ、６０Ａ、６０Ｂからロック解除され、また特に蓋３と鍋２を離すために使用される、蓋３がロック解除された（図４に示す）位置との間に配置される。
【００２８】
図に示すように、圧力調理器１は、ロック開口部５０Ａ、５０Ｂ、６０Ａ、６０Ｂの数に対応した多数のピン５Ａ、５Ｂ、６Ａ、６Ｂを備えていることが好ましい。即ち、このケースにおいては、圧力調理器１は、それぞれ開口部５０Ａ、５０Ｂ、６０Ａ、６０Ｂと係合するように設計された４本のピン５Ａ、５Ｂ、６Ａ、６Ｂを備えている。ピン５Ａ、５Ｂ、６Ａ、６Ｂは、蓋３上の、格納位置（図４に示す）と展開位置（図３に示す）の間で平行移動できる取り付け部を設けていることが好ましく、上記格納位置では、ピン５Ａ、５Ｂ、６Ａ、６Ｂが蓋３から側方に突出することがないように蓋３内部に格納され、上記展開位置では、各ピン５Ａ、５Ｂ、６Ａ、６Ｂがそれぞれ対応する開口部５０Ａ、５０Ｂ、６０Ａ、６０Ｂ内に突出し、格納位置から展開位置への移行は、鍋２の基部２Ａと平行であることが好ましい蓋３の主要延長面と実質的に平行する方向に従った平行動作によって実施される。
【００２９】
図に示した実施形態によれば、ロック／ロック解除手段４は、Ｘ−Ｘ’軸に関連して相互に正反対の位置に配置された２個の二また部分５、６を有利に備えており、各二また部分５、６は、ピン５Ａ、５Ｂから成る第１の対と、ピン６Ａ、６Ｂから成る第２の対をそれぞれ形成している。例えば、二また部分は、一端がフォーク形状をした一体型の金属板で形成されており、フォークの各爪部分はピン５Ａ、５Ｂ、６Ａ、６Ｂに関連している。各二また部分５、６は、Ｘ−Ｘ’軸に関連した放射状に移動する取り付け部を設けている。
【００３０】
上記二また部分５、６は、当業者に周知である任意の手段によって駆動される。例えば、図に示すように、ロック／ロック解除手段４は使用者によって手動で制御される。このために、圧力調理器１は、蓋３に搭載され、Ｘ−Ｘ’軸に従って回転する制御ノブ７Ａを備えていることが好ましい。このノブ７Ａは、二また部分５、６に機械的に接続しており、一方向へノブ７Ａ回転させると、ピン５Ａ、５Ｂ、６Ａ、６Ｂが放射状に（求心的に）格納され、ノブ７Ａをこれと反対の方向へ回転させると、ピン５Ａ、５Ｂ、６Ａ、６Ｂが遠心的に放射状に移動して、各ピンが対応するロック開口部５０Ａ、５０Ｂ、６０Ａ、６０Ｂ内に係合する。二また部分５、６は、当業者に周知の任意の手段で、ノブ７Ａによって駆動される。例えば、ノブ７Ａを、駆動開口部７０を設けたプレートに取り付けることができ、この場合、二また部分５、６自体は、これに対応する、駆動開口部７０内に係合するピン５１に取り付けられている。したがって、ノブ７Ａを回転させるとこれに付随して駆動開口部７０が回転し、これにより、傾斜効果で、また二また部分５、６の平行移動案内との組み合わせにて、この回転の動作がこの二また部分５、６の放射状の平行移動動作に変換される。
【００３１】
本発明によれば、上記少なくとも１個のロック開口部５０Ａ、５０Ｂ、６０Ａ、６０Ｂを覆い隠して、ロック開口部を実質的に調理チャンバの外部から隠すために、圧力調理器１は鍋２に取り付けた（また好ましくは鍋２の側壁２Ｂに取り付けた）遮蔽部１００を備えている。
【００３２】
換言すれば、遮蔽部１００の目的は、圧力調理器１が閉鎖されている際に、即ち蓋３が鍋２に取り付けられている際に、開口部５０Ａ、５０Ｂ、６０Ａ、６０Ｂを使用者の目から隠すことである。そのため、その動作原理と並んで使用者に最大の恐怖をもたらすロックシステムの一部が使用者に見えなくなる。これにより、圧力調理器１の使用時に使用者が持つ恐怖感が軽減される。さらにこれにより、ロック開口部内に誤って物体が導入されて器具の正確な動作が阻害されることを防止できるので、ロックの信頼性および使用者の安全性も拡大する。
【００３３】
これ以外のロック／ロック解除システムを隠すために、圧力調理器１は、特に二また部分５、６とその駆動手段（開口部７０、ピン５１）を見えないようにするべく蓋３に追加および取り付けたカバー４００を備えていることが好ましい。カバー４００と、遮蔽部１００と、ピンおよびロック開口部の係合に基づいたロック／ロック解除手段４との組み合わせにより、蓋ロックシステムを、非常に単純で信頼性が高くさらに安価な方法で、使用者の目から完全に隠すことが可能となる。
【００３４】
圧力調理器１は少なくとも、鍋２に取り付けた、また好ましくは鍋２の壁に直接取り付けたグリップ部２０を有利に備えている。グリップ部２０は、特に上記圧力調理器１が調理済みまたは未調理の食品と、恐らくは調理液とによって充填されている際に、使用者が鍋２自体だけでなく、とりわけ圧力調理器１全体（鍋２と蓋３の組み立てで形成された全体）を扱えるように設計されている。したがって、グリップ部２０は、使用者が落下の危険なく必要に応じて圧力調理器１を手で動かすために、圧力調理器１を、容易かつしっかり掴めるように設計されている。図に示すように、グリップ部２０は、鍋２の外側の壁に取り付けた少なくとも１本のハンドル２１を備えていることが好ましい。上記ハンドル２１は、実質的に鍋２からその外部に向かって、Ｘ−Ｘ’軸に対して放射状に延びている。
【００３５】
図に示した例では、圧力調理器１は、Ｘ−Ｘ’軸に関連して相互に正反対に位置決めされた２本のハンドル２１、２２を設けており、上記ハンドル２１、２２は鍋２の側壁２Ｂから鍋２の外側へ向かって放射状に延びている。
【００３６】
グリップ部２０は鍋２上に非常に有利に合致および位置決めされて、上記遮蔽部１００を形成している。換言すれば、図に示す例に対応した、この特に好ましい実施形態では、グリップ部２０は、圧力調理器１の扱いを可能にし、さらにロック開口部５０Ａ、５０Ｂ、６０Ａ、６０Ｂを隠すという２つの機能を設けている。このような２つの機能は、工業製造上の単純性とこれに関連するコスト面に関して特に重要である。
【００３７】
好ましくは、また図に示すように、２本のハンドル２１、２２は同一であり、それぞれが例えば、鍋２の壁に直接、つまり鍋２の外面３１に取り付けられた基部２１０、２２０を備えている。各基部２１０、２２０からは、使用者が手で持てるように設計されたハンドル２１１、２２１がそれぞれ延びている。
【００３８】
安全で、安定し、信頼性の高いロックを確保するために、上記ピン５Ａ、５Ｂ、６Ａ、６Ｂの一部が、対応するロック開口部５０Ａ、５０Ｂ、６０Ａ、６０Ｂを通って鍋２の外側へ突出している、即ち、特に図３、図５に示すように、各ピン５Ａ、５Ｂ、６Ａ、６Ｂが、対応する開口部５０Ａ、５０Ｂ、６０Ａ、６０Ｂを貫通して鍋２の反対側へ突出していることが好ましい。
【００３９】
図に示すようにこのケースでは、遮蔽部１００に、対応するロック開口部５０Ａ、５０Ｂ、６０Ａ、６０Ｂ上に開口した少なくとも１つの目隠しの内部窪みが有利に設けられ、ピンの上記突出部分を内部に収容できるようになっている。
【００４０】
その結果、図に示した実施形態によれば、各基部２１０、２２０は、目隠しの内部窪みを形成する空洞２１０Ａ、２１０Ｂ、２２０Ａ、２２０Ｂを有利に設けており、上記空洞は、各ピン５Ａ、５Ｂ、６Ａ、６Ｂが展開位置にあり、外壁３１を超えて突出すると、開口部５０Ａ、５０Ｂ、６０Ａ、６０Ｂの反対側に位置決めされて、これらのピンをそれぞれ収容するように設計された窪みを形成するように設計されている。
【００４１】
グリップ部２０は、グリップ部２０と鍋２の間に機械接続、好ましくは組み込まれた機械接続を形成できるようにする、少なくとも１個の取り付け部２０Ａの手段によって鍋２に取り付けられていることが好ましい。グリップ部２０は鍋２とは別個に独立し、取り付け手段２０Ａによって鍋２に追加および取り付けられていることが好ましい。これにより、取り付け手段２０Ａが受容的になる、即ちグリップ部２０を鍋２に直接取り付けられるようになる。
【００４２】
取り付け手段２０Ａは、少なくとも、鍋２の壁から鍋２の外側へ延びた細長い取り付け要素２０１Ａを有利に備える。取り付け手段２０Ａはさらに、鍋２の壁を通る、即ち、鍋２の上記壁の厚さＥ全体を貫通する取り付け口２００Ａを備えていることが好ましい。このケースでは、また図に示すように、取り付け要素２０１Ａは上記取り付け口２００Ａを通って延びていることが好ましい。したがって、取り付け要素２０１Ａは、取り付け口２００Ａから入って鍋の壁の厚さＥ全体を貫通する。
【００４３】
取り付け要素２０１Ａは、図に示すように、グリップ部２０が付いた外端部２０２Ａと、取り付け口２００Ａの周囲で鍋２と接触するヘッド部分が据え付けられた内端部２０３Ａとの間で、取り付け口２００Ａを通って延びていることが好ましい。
【００４４】
各ハンドル２１、２２は、同一の方法で、即ち、先述の説明による取り付け口と取り付け要素を備えるこれに関連した取り付け手段の手段によって鍋２に取り付けられていることが好ましい。
【００４５】
取り付け要素２０１Ａは少なくともネジ４０を有利に備えており、このネジ４０は、ヘッド部４０Ａと、このヘッド部４０Ａから取り付け口２００Ａを通って延びるねじ切りロッド４０Ｂとを具備している。グリップ部２０は、ねじきりロッド４０Ｂがねじ込まれるタップ穴５０を有利に具備しており、ヘッド部４０Ａ（ロッド４０Ｂの直径よりも大きい直径を有する）は鍋２の内部に位置決めされて、この内部と、即ち側壁２Ａの内面３０に対して接触する。
【００４６】
各ハンドル２１、２２は、その基部２１０、２２０の中央に嵌め込んだタップ穴内にねじ込まれるネジの手段によって取り付けられることが好ましい。
【００４７】
取り付け手段２０Ａは、グリップ部２０に取り付けられ、ロック開口部５０Ａ、５０Ｂ、６０Ａ、６０Ｂ内に挿入された支持要素３００を少なくとも備えることが好ましい。図に示す例では、支持要素３００は、各ハンドル２１、２２から延びた突出部３０１、３０２を備えている。例えば、各ハンドル２１、２２はそれぞれ対応する２個の突出部３０１、３０２を具備しており、この突出部は対応するハンドルと同じ材料から成り、ロック開口部５０Ａ、５０Ｂ、６０Ａ、６０Ｂ内に取り付けられている。したがって、図５に示すように、ハンドル２１の２個の突出部のそれぞれはロック開口部６０Ａ、６０Ｂ内に係合し、ハンドル２１がネジ４０の軸周囲で回転することを防止している。ロック開口部５０Ａ、５０Ｂ、６０Ａ、６０Ｂは実質的に横長形状であり、支持要素３００を形成している突出部がこれらのロック開口部の一端内に導入されることが好ましい。
【００４８】
そのため、各ロック開口部５０Ａ、５０Ｂ、６０Ａ、６０Ｂは、ピン５Ａ、５Ｂ、６Ａ、６Ｂと係合して蓋３を鍋２の上にロックできるようにし、また、上記ハンドルの突出部（またはこれ以外の同等部分）と係合してハンドル２１、２２を適所に保持するという２つの機能を備えている。
【００４９】
しかしながら、本発明の範囲から逸脱せずに、突出部の代わり、または代用として、壁２Ｂの外部に向かう変形を提供してボスを作成することも考えられ、このボスは、ハンドル内に取り付けたこれとは反対の形状と係合して、ハンドルを適所に保持するように設計されている。
【００５０】
支持要素３００は、ハンドルが、主な取り付けとなる取り付けネジ４０Ａの軸周囲で回転することを阻止するためにのみ提供されることが好ましい。
【００５１】
しかしながら、本発明の範囲から逸脱することなく、単純に取り付けパットをロック開口部５０Ａ、５０Ｂ、６０Ａ、６０Ｂに係合させて、ハンドルを取り付けることも考えられる。
【００５２】
またさらに、やはり本発明の範囲から逸脱せずに、側壁２Ｂの外面に溶着させた金属ブリッジに、ハンドル２１、２２を通常の方法で取り付けることも考えられる。
【図面の簡単な説明】
【００５３】
【図１】本発明による家庭用圧力調理器を全体斜視図によって示す。
【図２】図１の圧力調理器を、実質的に垂直である２つの断面平面に従った一般的な部分断面斜視図で示す。
【図３】蓋が鍋上にロックされた状態にある図１、図２の圧力調理器を、特に露出および断面化した平面図にて示す。
【図４】蓋が鍋からロック解除された状態にある図１〜図３の圧力調理器を、特に露出および断面化した平面図にて示す。
【図５】図１〜図４の圧力調理器の鍋を、側部断面図によって示す。
【図６】図５に示した鍋の拡大詳細部分を、図５の線Ａ−Ａに従った断面図にて示す。
【図７】図１〜図４の圧力調理器の詳細を、断面斜視図によって示す。
【符号の説明】
【００５４】
１  家庭用圧力調理器
２  鍋
２Ａ  基部
２Ｂ  側璧
２Ｃ  上方開口部
３  蓋
４  ロック／ロック解除手段
５Ａ、５Ｂ、６Ａ、６Ｂ  ピン
５、６  二また部分
７Ａ  ノブ
２０  グリップ部
２１、２２  ハンドル
２０Ａ  取り付け手段
３０  内面
３１  外面
４０  ネジ
４０Ａ  ヘッド部
４０Ｂ  ねじきりロッド
５０  タップ穴
５０Ａ、５０Ｂ、６０Ａ、６０Ｂ  ロック開口部
７０  駆動開口部
１００  遮蔽部
２００Ａ  取り付け口
２０１Ａ  取り付け要素
２０２Ａ  外端部
２０３Ａ  内端部
２１０、２２０  基部
２１１、２２１  ハンドル
２１０Ａ、２１０Ｂ、２２０Ａ、２２０Ｂ  内部窪み（空洞）
３００  支持要素
４００  カバー
【図１】
0005193717.tif 000002
【図２】
0005193717.tif 000003
【図３】
0005193717.tif 000004
【図４】
0005193717.tif 000005
【図５】
0005193717.tif 000006
【図６】
0005193717.tif 000007
【図７】
0005193717.tif 000008